(57)【要約】【課題】開状態としても違和感が生じ難く利便性が良い排水栓を提供する。【解決手段】排水栓１は、浴槽の排水口９に配設される。排水栓１は、皿部２と蓋部３を備える。皿部２は、排水口９に嵌め合わされ、通流孔部２１が形成されている。蓋部３は、皿部２の浴槽側を覆うように設けられており、皿部２に対する浴槽の底面に沿う動きによって通流孔部２１を開閉する。【選択図】図２
2018188835.tif 000002
【特許請求の範囲】
【請求項１】
浴槽の排水口に配設される排水栓であって、
前記排水口に嵌め合わされ、通流孔部が形成された皿部と、
前記皿部の前記浴槽側を覆うように設けられており、前記皿部に対する前記浴槽の底面に沿う動きによって前記通流孔部を開閉する蓋部と、
を備えることを特徴とする排水栓。
【請求項２】
前記蓋部は前記底面に交差する軸のまわりに回転し、回転位置に応じて前記通流孔部を開閉することを特徴とする請求項１に記載の排水栓。
【請求項３】
前記蓋部は、開状態において前記通流孔部に連通する貫通孔部を有し、
前記貫通孔部の開口面積が、前記貫通孔部の開口部分を除く前記蓋部における前記浴槽の内部に臨む面の面積よりも小さいことを特徴とする請求項２に記載の排水栓。
【請求項４】
前記皿部および前記蓋部における互いに対向する面のいずれか一方に凸条が、他方に前記凸条に嵌め合わされる嵌合部が前記軸を中心とする円周上に部分的に形成されており、前記凸条が前記嵌合部に嵌め合わされた状態で前記通流孔部が閉状態となることを特徴とする請求項２または３に記載の排水栓。
【請求項５】
前記凸条または前記嵌合部の端部が、高さ方向に傾斜するテーパ状に形成されていることを特徴とする請求項４に記載の排水栓。
【発明の詳細な説明】
【技術分野】
【０００１】
本発明は、排水栓に関する。
【背景技術】
【０００２】
湯を溜める浴槽の底部に設けられる排水栓には、排水口を塞ぐゴム栓や、プッシュ式の栓が用いられている。例えば、特許文献１には、浴槽の内底面における排水口およびその周辺部から浴槽の側面までを陥没させた部分に、内底面と面一となる排水口覆いを設け、該排水口覆いの下面にゴム栓を一体に設け、該排水口覆いの浴槽側面側にくさりを連結した排水栓が開示されている。
【先行技術文献】
【特許文献】
【０００３】
【特許文献１】特開平０１−１２６９３１号公報
【発明の概要】
【発明が解決しようとする課題】
【０００４】
特許文献１に記載の排水栓は、浴槽から排水するために排水栓を抜き去った状態では、陥没した部分が露出する。浴槽にシャワー装置が設けられ、ユーザが浴槽内に立ってシャワー装置からの湯水を浴びる形式の浴室ユニットでは、浴槽の内底面に陥没した部分があると、足裏に違和感を生じ利便性が低下するという問題があった。プッシュ式の栓の場合も、開状態で栓が浴槽の内底面から突出するため、足裏に違和感が生じる。
【０００５】
本発明は、斯かる事情に鑑みてなされたものであり、その目的とするところは、開状態としても違和感が生じ難く利便性が良い排水栓を提供することにある。
【課題を解決するための手段】
【０００６】
本発明に係る排水栓は、浴槽の排水口に配設される排水栓であって、前記排水口に嵌め合わされ、通流孔部が形成された皿部と、前記皿部の前記浴槽側を覆うように設けられており、前記皿部に対する前記浴槽の底面に沿う動きによって前記通流孔部を開閉する蓋部と、を備えることを特徴とする。
【発明の効果】
【０００７】
本発明によれば、排水栓は、開状態としても違和感が生じ難く利便性が良い。
【図面の簡単な説明】
【０００８】
【図１】本発明の実施形態に係る排水栓を含む浴槽の外観を示す斜視図である。
【図２】排水栓の分解斜視図である。
【図３】皿部の平面図である。
【図４】図３に示すＡ−Ａ線による皿部の断面図である。
【図５】蓋部の平面図である。
【図６】図５に示すＢ−Ｂ線による蓋部の断面図である。
【図７】蓋部の底面図である。
【図８】開状態の排水栓を示す平面図である。
【図９】閉状態の排水栓を示す平面図である。
【図１０】変形例に係る排水栓の外観を示す側面図である。
【図１１】別の変形例に係る排水栓の断面図である。
【発明を実施するための形態】
【０００９】
以下、本発明を好適な実施の形態をもとに図１から図１１を参照しながら説明する。各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１０】
（実施形態）
図１は本発明の実施形態に係る排水栓１を含む浴槽８の外観を示す斜視図であり、図２は排水栓１の分解斜視図である。浴槽８は、底部８１に排水口９（図２参照）が設けられており、排水口９の下方に設けた排水管等に接続されている。浴槽８の排水口９には排水栓１が設置されている。排水栓１は、開状態で浴槽８内の湯水を排水管側へ排出し、閉状態で排水口９を塞ぎ浴槽８に湯水を溜める。
【００１１】
排水栓１は、皿部２および蓋部３を備え、排水口９に設置される。排水口９は、浴槽８の表裏に貫通する孔であり、皿部２を収容する収容孔部９１と、蓋部３を嵌める嵌合孔部９２を備える。収容孔部９１は、底部において内側に張り出すフランジ部９１ａが形成されている。皿部２は、底面をフランジ部９１ａに接触させて配設される。嵌合孔部９２は、内径が収容孔部９１より大きく、収容孔部９１に連続する底部９２ａを有する。蓋部３は、底面を皿部２に接触させ、皿部２の浴槽８側を覆うように配設されており、該底面と底部９２ａとの間は僅かに接触するか、微小な隙間が空いている。
【００１２】
皿部２は通流孔部２１を有し、蓋部３は貫通孔部３１を有する。蓋部３は、皿部２に対して、浴槽８の底部８１における内面（底面）に略垂直に交差する軸まわりに回転可能である。排水栓１は、蓋部３の回転によって通流孔部２１と貫通孔部３１とが重なって連通するときに、開状態となる。また、排水栓１は、蓋部３の回転によって通流孔部２１と貫通孔部３１とがずれた位置となるときに、閉状態となる。
【００１３】
図３は皿部の平面図であり、図４は図３に示すＡ−Ａ線による皿部２の断面図である。皿部２は、厚みのある円形板状をなし、蓋部３に対向する一面２ａから穿つように形成された通流孔部２１を有する。通流孔部２１は、中心角が略９０度の扇状をなし、皿部２の中心に対して対称に２箇所に設けられており、底部２１ａには、表裏に貫通する多数の通流孔２２を有する。
【００１４】
皿部２の中心には、一面２ａから突起し、一面２ａに略垂直な軸方向を有する円柱状の軸体２３が設けられている。皿部２の一面２ａにおいて、軸体２３の周囲部分、および、軸体２３の周方向に見た２つの通流孔部２１の間の部分は、貫通孔が設けられていない平坦部２４となっている。
【００１５】
皿部２の一面２ａにおける周縁部には、軸体２３を中心とする円弧状の凸条２５および２６が一面２ａから突起するように形成されている。凸条２５は、軸体２３に対して対称に平坦部２４における２箇所に設けられている。凸条２６は、軸体２３に対して対称に通流孔部２１の周縁部における２箇所に設けられている。凸条２５は、凸条２６よりも周方向の長さ寸法を大きくしてある。凸条２５および凸条２６それぞれの端部２５ａおよび２６ａは、各凸条の高さ方向に傾斜するテーパ状としてある。
【００１６】
皿部２は、外周面２ｂの全周に亘ってパッキンが嵌められており、該パッキンが排水口９における収容孔部９１の内周面９１ｂ（図２参照）に接触する。皿部２の外周と収容孔部９１の内周がパッキンによって水密に封止されることで、浴槽８内からの排水経路は、通流孔部２１となる。蓋部３は、皿部２の一面２ａに被さり、２つの通流孔部２１を開閉するように機能する。
【００１７】
図５は蓋部３の平面図、図６は図５に示すＢ−Ｂ線による蓋部３の断面図、図７は蓋部３の底面図である。蓋部３は、厚みのある円形板状をなし、表裏に貫通する貫通孔部３１が中心に対して対称に２箇所に設けられている。貫通孔部３１は、浴槽８側における浴槽８の内部を臨む一面３ａにおける開口が、所定の半径方向寸法を有する中心角が略９０度の円弧状の形状であり、蓋部３の周縁部寄りに形成されている。貫通孔部３１は、他面３ｂにおける開口が、中心角を略９０度とする扇状の形状であり、蓋部３の半径方向の中途部に形成されている。
【００１８】
貫通孔部３１は、一面３ａにおける開口の外周側部分と、他面３ｂにおける開口の外周側部分とが外側傾斜部３１ａによって接続されている。また、貫通孔部３１は、一面３ａにおける開口の中心側部分と、他面３ｂにおける開口の中心側部分とが内側傾斜部３１ｂによって接続されている。外側傾斜部３１ａおよび内側傾斜部３１ｂによって湯水の流路が形成される。蓋部３の一面３ａにおける貫通孔部３１以外の面は、蓋部３の表面３２となっている。表面３２は、蓋部３の中心から半径方向の中途部までの円形部分、および、周方向に見た２つの貫通孔部３１の間の部分からなり、中央部が湾曲してやや膨らみを持ち、ユーザが触れる面となっている。一面３ａにおける貫通孔部３１の開口面積は、貫通孔部３１の開口部分を除く一面３ａ、即ち表面３２の面積よりも小さい。
【００１９】
蓋部３の他面３ｂの中心には、他面３ｂに穿つようにして設けた軸穴３３が設けられている。軸穴３３は、皿部２の軸体２３に嵌め合わされる。他面３ｂにおいて、軸穴３３の周囲部分、および、軸穴３３の周方向に見た２つの貫通孔部３１の間の部分は、平坦状であり、貫通孔が設けられていない閉塞部３４を形成している。図７中の一点鎖線で示すように、軸穴３３を境にした扇状の２つの経路Ｐにパッキンが配設されている。
【００２０】
経路Ｐに配設されたパッキンは、皿部２の通流孔部２１と蓋部３の閉塞部３４とが重なるときに、通流孔部２１を囲んで周縁部に接触する。皿部２の軸体２３の先端部の外周に凹状に切欠部分を設け、通流孔部２１と閉塞部３４とが重なるときに該切欠部分に嵌め合わされるように蓋部３の軸穴３３の底部に突起部分を設けてあってもよく、この場合、排水栓１の開閉時にクリック感が得られる。
【００２１】
蓋部３の他面３ｂにおける半径方向の中途部やや外周寄りの部分には、軸穴３３を中心とする円弧状の段差部３５および溝３６が他面３ｂに穿つように形成されている。段差部３５は、軸穴３３に対して対称に貫通孔部３１の周縁部における２箇所に設けられている。溝３６は、軸穴３３に対して対称に閉塞部３４における２箇所に設けられている。段差部３５は、溝３６よりも周方向の長さ寸法を大きくしてある。段差部３５および溝３６の周方向の長さ寸法は、皿部２の凸条２５および２６と同一またはやや大きい。段差部３５および溝３６それぞれの端部３５ａおよび３６ａは、高さ方向に傾斜するテーパ状としてある。
【００２２】
皿部２の凸条２５および２６は、皿部２の通流孔部２１と蓋部３の閉塞部３４とが重なるときに、蓋部３の段差部３５および３６に嵌め合わされる。皿部２の凸条２５および２６は、皿部２の通流孔部２１と蓋部３の閉塞部３４とが重なっていないときは、蓋部３の他面３ｂに接触した状態となる。
【００２３】
次に排水栓１の動作について説明する。排水栓１は、皿部２を浴槽８の排水口９における収容孔部９１に配置する。皿部２の外周面２ｂの設けたパッキンが収容孔部９１の内周面９１ｂに接触し、皿部２の外周と収容孔部９１の内周がパッキンによって水密に封止される。蓋部３は、軸穴３３を皿部２の軸体２３に嵌め合わせ、皿部２に被せるようにして排水口９の嵌合孔部９２に嵌め合わせる。蓋部３は、軸体２３まわりに回転させることができる。
【００２４】
図８は、開状態の排水栓１を示す平面図である。排水栓１は、皿部２の通流孔部２１と蓋部３の貫通孔部３１とが重なった状態の回転位置において、通流孔部２１と貫通孔部３１とが連通し、開状態となる。浴槽８の湯水は、貫通孔部３１を通って、皿部２の通流孔部２１へ流れ込み、通流孔２２から排水管へと排出される。皿部２の通流孔部２１では、髪の毛や異物が引っ掛かり、除去できるようになっている。蓋部３の一面３ａにおける貫通孔部３１の開口面積は、貫通孔部３１の開口部分を除く一面３ａの面積、即ち表面３２の面積よりも小さい。これにより、排水栓１は、ユーザが視認したときに蓋部３に大きな孔が開いているとの違和感が低減化されている。また、蓋部３の一面３ａの面積に対する貫通孔部３１の開口面積の比率が小さくなることで、浴槽８の底面と連続する部分が多くなり、シームレスにユーザの身体に接触する部分の面積を広く確保することができる。
【００２５】
排水栓１が開状態となっているとき、皿部２の凸条２５および２６は、蓋部３の他面３ｂに接触した状態となり、蓋部３の他面３ｂにおける経路Ｐに配設されたパッキンは、皿部２の一面２ａに僅かに接触しているか浮いた状態となっている。これにより、蓋部３に配設されたパッキンに常時荷重が加わらず、パッキンの劣化を抑制することができる。
【００２６】
図９は、閉状態の排水栓１を示す平面図である。排水栓１は、蓋部３を開状態から軸穴３３の軸まわりに９０度回転した回転位置において、閉状態となる。排水栓１が閉状態となったとき、皿部２の凸条２５および２６は、蓋部３の段差部３５および溝３６に嵌め合わされ、蓋部３が自重によって皿部２に接近する。蓋部３の他面３ｂに配設されたパッキンは、排水栓１が閉状態となったときに、通流孔部２１の周縁部に接触し、蓋部３の自重で弾性変形して、通流孔部２１の周縁部に密着して通流孔部２１を塞ぐ。
【００２７】
排水栓１は、閉状態から９０度回転した回転位置において、図８に示す開状態となる。排水栓１は、蓋部３を軸穴３３の軸まわり、即ち浴槽８の内面に略垂直な軸まわりに回転させることで開閉することができ、浴槽８の内面（底面）から突出しないようにすることができる。
【００２８】
排水栓１は、開状態および閉状態で蓋部３が回転するだけで、浴槽８の内面側の表面の変化が少ない。また、排水栓１は、蓋部３を途中の回転位置で止めることによって、開き度合が変化し、排水速度を可変することができる。
【００２９】
皿部２の凸条２５および２６が、蓋部３の段差部３５および溝３６に嵌め合わされ、また、嵌め合わせが外れることで、蓋部３が軸穴３３の軸方向、即ち、浴槽８の内面に略垂直な軸方向に動く。この蓋部３の動きは、排水量を高めるために蓋部を軸方向に大きく動かすものではなく、パッキンによる封止性を高めるためのものであり、動きを小さくすることで、蓋部３が浴槽８の内面から突出することを抑制することができる。これにより、排水栓１は、開状態および閉状態において、浴槽８の内面から蓋部３が突出することを抑制できるので、ユーザが排水栓１に触れても違和感が生じ難く利便性が良い。
【００３０】
皿部２に設けた凸条２５および２６の端部２５ａおよび２６ａ、並びに、蓋部３に設けた段差部３５および溝３６の端部３５ａおよび３６ａは、高さ方向に傾斜するテーパ状としてあるため、閉状態から開状態への動き出しが滑らかになる。尚、端部におけるテーパは、凸条側にのみ設けてもよく、また、段差部および溝側にのみ設けてよく、いずれの場合にも蓋部３の動き出しを滑らかにすることができる。
【００３１】
次に、実施形態の排水栓１の特徴を説明する。
本発明の実施形態の排水栓１は、浴槽８の排水口９に配設される。排水栓１は、排水口９に嵌め合わされ、通流孔部２１が形成された皿部２と、皿部２の浴槽８側を覆うように設けられており、皿部２に対する浴槽８の内面（底面）に沿う動きによって通流孔部２１を開閉する蓋部３とを備える。これにより、排水栓１は、開状態および閉状態において、浴槽８の内面から蓋部３が突出することを抑制できるので、ユーザが排水栓１に触れても違和感が生じ難く利便性が良い。
【００３２】
また排水栓１は、蓋部３が浴槽８の内面（底面）に交差する軸のまわりに回転し、回転位置に応じて通流孔部２１を開閉する。これにより、排水栓１は、開状態および閉状態において、浴槽８の内面側の表面の変化を少なくすることができる。
【００３３】
また排水栓１は、蓋部３が開状態において通流孔部２１に連通する貫通孔部３１を有し、貫通孔部３１の開口面積が、貫通孔部３１の開口部分を除く蓋部３における浴槽８の内部に臨む一面３ａの面積、即ち表面３２の面積よりも小さい。これにより、排水栓１は、ユーザが視認したときに蓋部３に大きな孔が開いているとの違和感が低減化されている。また、蓋部３の一面３ａの面積に対する貫通孔部３１の開口面積の比率が小さくなることで、浴槽８の底面と連続する部分が多くなり、シームレスにユーザの身体に接触する部分の面積を広く確保することができる。
【００３４】
また排水栓１は、皿部２および蓋部３における互いに対向する面のいずれか一方に凸条が、他方に凸条に嵌め合わされる嵌合部が形成されている。即ち、排水栓１は、皿部２の一面２ａに凸条２５および２６が形成されており、蓋部３の他面３ｂに嵌合部としての段差部３５および溝３６が形成されている。凸条２５および２６、並びに、段差部３５および溝３６は、軸体２３および軸穴３３を中心とする円周上に部分的に形成されており、凸条２５が段差部３５に、凸条２６が溝３６に嵌め合わされた状態で通流孔部２１が閉状態となる。これにより、排水栓１は、皿部２と蓋部３との間のパッキンによる封止性を高めることができる。
【００３５】
また排水栓１は、凸条２５および２６の端部２５ａおよび２６ａ、若しくは、段差部３５および溝３６の端部３５ａおよび３６ｂが、高さ方向に傾斜するテーパ状に形成されている。これにより、排水栓１は、閉状態から開状態への動き出しが滑らかになる。
【００３６】
（変形例）
図１０は、変形例に係る排水栓１の外観を示す側面図である。この変形例では、蓋部３の他面３ｂに細長い吊り具３７を設け、吊り具３７を皿部２に設けた貫通孔（図示略）に通してある。吊り具３７は、例えば可撓性を有する樹脂製であり、先端部に拡幅する係止部３７ａが設けられている。係止部３７ａは、蓋部３を皿部２から離間させたときに皿部２の前記貫通孔の縁に係る。これにより、蓋部３を皿部２から離間させることで皿部２を排水口９から取り外すことができる。
【００３７】
図１１は、別の変形例に係る排水栓１の断面図である。この変形例に係る排水栓１は、皿部２に縞状に通流孔部２１を設け、通流孔部２１の底部に通流孔２２を形成している。蓋部３は、皿部２の通流孔部２１のピッチと同じ縞状に貫通孔部３１を設けている。排水栓１は、蓋部３を浴槽８の内面に沿う動き、即ち平行移動によって、ずらすことにより、開閉することができる。これによって、排水栓１は、開状態および閉状態において、浴槽８の内面から蓋部３が突出することを抑制できるので、ユーザが排水栓１に触れても違和感が生じ難く利便性が良い。
【００３８】
上述の実施形態および変形例では、皿部２の外周面２ｂにパッキンを配設してあるが、皿部２の一面２ａと反対側の他面に配設し、収容孔部９１のフランジ部９１ａに接触させるようにしてもよい。また、排水栓１は、皿部２にパッキンを設けず、蓋部３の他面３ｂの周縁部に全周に亘ってパッキンを設けてもよい。また、図７に示すように、蓋部３の他面３ｂにおいて経路Ｐにパッキンを配設しているが、経路Ｐを含むように板状のパッキンを配設してもよい。
【００３９】
また、上述の実施形態および変形例では、皿部２の通流孔部２１および蓋部３の貫通孔部３１の形状を説明したが、これらの形状は、扇状や円弧状に限られるものではなく、楕円形状、多角形状などとしてもよい。また、皿部２の通流孔部２１および蓋部３の貫通孔部３１は、２つであることに限られず、１または３以上あってもよい。
【００４０】
また、上述の実施形態および変形例では、皿部２に凸条２５および２６を設け、蓋部３に段差部３５および溝３６を設けているが、皿部２に段差部や溝を設け、蓋部３に凸条を設けても良い。また、上述の実施形態および変形例では、皿部２に軸体２３を設け、蓋部３に軸穴３３を設けているが、皿部２に軸穴を、蓋部３に軸体を設けても良い。尚、蓋部３を回転させるためには、軸穴および軸体による形態の他、別の形態としてもよく、さらに、蓋部３は嵌合孔部９２に嵌め合わされているので、皿部２と蓋部３との間に軸穴および軸体を設けなくてもよい場合もある。
【００４１】
また、上述の実施形態および変形例では、浴槽８の底部８１に排水栓１を設ける例を示したが、排水栓１は、浴槽８の内側面に設けてもよい。
【００４２】
以上、本発明の実施の形態をもとに説明した。これらの実施の形態は例示であり、いろいろな変形および変更が本発明の特許請求範囲内で可能なこと、またそうした変形例および変更も本発明の特許請求の範囲にあることは当業者に理解されるところである。従って、本明細書での記述および図面は限定的ではなく例証的に扱われるべきものである。
【符号の説明】
【００４３】
１  排水栓、  ２  皿部、  ２１  通流孔部、  ２５，２６  凸条、  ３  蓋部、
３１  貫通孔部、  ３５  段差部（嵌合部）、  ３６  溝（嵌合部）、  ８  浴槽、
９  排水口。
【図１】
2018188835.tif 000003
【図２】
2018188835.tif 000004
【図３】
2018188835.tif 000005
【図４】
2018188835.tif 000006
【図５】
2018188835.tif 000007
【図６】
2018188835.tif 000008
【図７】
2018188835.tif 000009
【図８】
2018188835.tif 000010
【図９】
2018188835.tif 000011
【図１０】
2018188835.tif 000012
【図１１】
2018188835.tif 000013